(57)【要約】  【課題】  光ディスクの装置挿入から再生開始までの時間を短縮でき、ユーザにとって扱い易い光ディスク再生装置を提供する。  【解決手段】  ディスク１がトレイ１８によってディスク１の半径方向にディスク１の中央部がターンテーブル３の位置まで搬送される間に、ピックアップ５からディスク１にレーザが照射され、ディスク１からの反射光に基づきコントローラ１６はディスク１がＣＤあるいはＤＶＤであるかを判別する。【選択図】      図１
2006318600.tif 000002
【特許請求の範囲】
【請求項１】
ディスクにレーザを照射するピックアップと、前記ディスクを回転させる回転手段と、
前記ディスクを前記ディスクの半径方向に前記回転手段まで搬送する搬送手段と、前記ピ
ックアップが照射した前記レーザの前記ディスクからの反射光に基づき反射光量を示す信
号を生成する信号生成手段と、を備える光ディスク再生装置において、
前記搬送手段が前記ディスクを前記回転手段まで搬送する間に前記ピックアップは前記
レーザを前記ディスクに照射し、前記ディスクからの反射光に基づき前記信号生成手段は
前記反射光量を示す信号を生成し、
該生成された前記反射光量を示す信号の周期を測定し、該測定結果に基づき前記ディス
クがＣＤあるいはＤＶＤであるかを判別するディスク判別手段を備えることを特徴とする
光ディスク再生装置。
【請求項２】
ディスクにレーザを照射するピックアップと、前記ディスクを回転させる回転手段と、
前記ディスクを前記ディスクの半径方向に前記回転手段まで搬送する搬送手段と、前記ピ
ックアップが照射した前記レーザの前記ディスクからの反射光に基づきトラッキングエラ
ー信号を生成する信号生成手段と、を備える光ディスク再生装置において、
前記搬送手段が前記ディスクを前記回転手段まで搬送する間に前記ピックアップは前記
レーザを前記ディスクに照射し、前記ディスクからの反射光に基づき前記信号生成手段は
前記トラッキングエラー信号を生成し、
該生成された前記トラッキングエラー信号の周期を測定し、該測定結果に基づき前記デ
ィスクがＣＤあるいはＤＶＤであるかを判別するディスク判別手段を備えることを特徴と
する光ディスク再生装置。
【請求項３】
ディスクにレーザを照射するピックアップと、前記ディスクを回転させる回転手段と、
前記ディスクを前記ディスクの半径方向に前記回転手段まで搬送する搬送手段と、前記ピ
ックアップが照射した前記レーザの前記ディスクからの反射光に基づき反射光量を示す信
号を生成する信号生成手段と、を備える光ディスク再生装置において、
前記搬送手段が前記ディスクを前記回転手段まで搬送する間に前記ピックアップはＤＶ
Ｄに対応した波長の前記レーザを前記ディスクに照射し、前記ディスクからの反射光に基
づき前記信号生成手段は前記反射光量を示す信号を生成し、
該生成された前記反射光量を示す信号の所定時間分の平均値を算出し該算出値に基づき
、または前記生成された前記反射光量を示す信号の瞬間値に基づき前記ディスクがＣＤあ
るいはＤＶＤであるかを判別するディスク判別手段を備えることを特徴とする光ディスク
再生装置。
【請求項４】
ディスクにレーザを照射するピックアップと、前記ディスクを回転させる回転手段と、
前記ディスクを前記ディスクの半径方向に前記回転手段まで搬送する搬送手段と、を備え
る光ディスク再生装置において、
前記搬送手段が前記ディスクを前記回転手段まで搬送する間に前記ピックアップは前記
レーザを前記ディスクに照射し、
前記ディスクからの反射光に基づき前記ディスクがＣＤあるいはＤＶＤであるかを判別
するディスク判別手段を備えることを特徴とする光ディスク再生装置。
【発明の詳細な説明】
【技術分野】
【０００１】
本発明は、光ディスク再生装置のディスク判別手段に関わる。
【背景技術】
【０００２】
近年、様々な種類の光ディスクが市場に登場しており、記録密度の違いにより、CD（Co
mpact Disc）とDVD（Digital Versatile Disc）とに分けられる。CDは更に再生専用のCD-
DA、CD-ROMや記録可能なCD-R、CD-RW等に分けられる。また、DVDは更に再生専用のDVD-RO
Mや記録可能なDVD-R、DVD+R、DVD-RW、DVD+RW等に分けられる。
【０００３】
従来の光ディスク再生装置はこのような様々な種類の光ディスクであっても、その種類
を判別し、同一の再生機構によって再生可能なものとなっている。このような光ディスク
再生装置としては例えば特許文献１に、光ディスクが装置に挿入されローディング制御に
よりディスクが回転できる所定の位置に搬送された後、光ディスクにレーザを照射しトラ
ッキングエラー信号やピット長に基づいてCDあるいはDVDであるかを判別し、判別結果に
基づいて光ディスクから再生に必要な情報を読み取り、再生制御処理を行うものが開示さ
れている。
【０００４】
しかしこのような光ディスク再生装置では、光ディスクを装置に挿入後、光ディスクが
回転できる所定の位置に搬送された後にCDあるいはDVDであるかの判別をするため、結果
的に再生開始までの時間が長くなってしまい、ユーザにとってストレスになるという問題
があった。
【特許文献１】特開２００４−３１９０５２号公報
【発明の開示】
【発明が解決しようとする課題】
【０００５】
本発明は上記問題点を鑑みてなされたものであり、光ディスクの装置挿入から再生開始
までの時間を短縮でき、ユーザにとって扱い易い光ディスク再生装置を提供することを目
的とする。
【課題を解決するための手段】
【０００６】
上記目的を達成するために本発明の光ディスク再生装置は、ディスクにレーザを照射す
るピックアップと、前記ディスクを回転させる回転手段と、前記ディスクを前記ディスク
の半径方向に前記回転手段まで搬送する搬送手段と、を備える光ディスク再生装置におい
て、前記搬送手段が前記ディスクを前記回転手段まで搬送する間に前記ピックアップは前
記レーザを前記ディスクに照射し、前記ディスクからの反射光に基づき前記ディスクがＣ
ＤあるいはＤＶＤであるかを判別するディスク判別手段を備えることを特徴とする。
【０００７】
このような構成によれば、光ディスクを回転できる所定の位置まで搬送する間にCDある
いはDVDであるかの判別ができるので、光ディスクを回転できる所定の位置まで搬送した
後のディスク判別を省略でき、結果的に光ディスクの装置挿入から再生開始までの時間を
短縮でき、ユーザにとって扱い易いものとなる。
【０００８】
また、本発明の光ディスク再生装置はより具体的には、ディスクにレーザを照射するピ
ックアップと、前記ディスクを回転させる回転手段と、前記ディスクを前記ディスクの半
径方向に前記回転手段まで搬送する搬送手段と、前記ピックアップが照射した前記レーザ
の前記ディスクからの反射光に基づき反射光量を示す信号を生成する信号生成手段と、を
備える光ディスク再生装置において、前記搬送手段が前記ディスクを前記回転手段まで搬
送する間に前記ピックアップは前記レーザを前記ディスクに照射し、前記ディスクからの
反射光に基づき前記信号生成手段は前記反射光量を示す信号を生成し、該生成された前記
反射光量を示す信号の周期を測定し、該測定結果に基づき前記ディスクがＣＤあるいはＤ
ＶＤであるかを判別するディスク判別手段を備える構成であればよい。
【０００９】
また、本発明の光ディスク再生装置は、ディスクにレーザを照射するピックアップと、
前記ディスクを回転させる回転手段と、前記ディスクを前記ディスクの半径方向に前記回
転手段まで搬送する搬送手段と、前記ピックアップが照射した前記レーザの前記ディスク
からの反射光に基づきトラッキングエラー信号を生成する信号生成手段と、を備える光デ
ィスク再生装置において、前記搬送手段が前記ディスクを前記回転手段まで搬送する間に
前記ピックアップは前記レーザを前記ディスクに照射し、前記ディスクからの反射光に基
づき前記信号生成手段は前記トラッキングエラー信号を生成し、該生成された前記トラッ
キングエラー信号の周期を測定し、該測定結果に基づき前記ディスクがＣＤあるいはＤＶ
Ｄであるかを判別するディスク判別手段を備える構成でもよい。
【００１０】
また、本発明の光ディスク再生装置は、ディスクにレーザを照射するピックアップと、
前記ディスクを回転させる回転手段と、前記ディスクを前記ディスクの半径方向に前記回
転手段まで搬送する搬送手段と、前記ピックアップが照射した前記レーザの前記ディスク
からの反射光に基づき反射光量を示す信号を生成する信号生成手段と、を備える光ディス
ク再生装置において、前記搬送手段が前記ディスクを前記回転手段まで搬送する間に前記
ピックアップはＤＶＤに対応した波長の前記レーザを前記ディスクに照射し、前記ディス
クからの反射光に基づき前記信号生成手段は前記反射光量を示す信号を生成し、該生成さ
れた前記反射光量を示す信号の所定時間分の平均値を算出し該算出値に基づき、または前
記生成された前記反射光量を示す信号の瞬間値に基づき前記ディスクがＣＤあるいはＤＶ
Ｄであるかを判別するディスク判別手段を備える構成でもよい。
【発明の効果】
【００１１】
本発明の光ディスク再生装置によれば、光ディスクの装置挿入から再生開始までの時間
を短縮でき、ユーザにとって扱い易いものとなる。
【発明を実施するための最良の形態】
【００１２】
（第１実施形態）
以下、本発明に係る光ディスク再生装置の第１実施形態について図面を参照しながら説
明する。図１は、本発明に係る光ディスク再生装置の第１実施形態の概略構成を示すブロ
ック図であり、いわゆるDVDビデオプレーヤの構成を示している。なお、DVDビデオプレー
ヤに限らず、本発明はコンピュータに接続されるCD/DVDドライブ等にも適用できる。
【００１３】
トレイ１８はディスク１が置かれた状態でディスク１の半径方向にトレイ駆動部２によ
って駆動され、ディスク１を装置から出し入れするものである。トレイ駆動部２は図示し
ないギヤ、モータ等を備える。ターンテーブル３はスピンドルモータ４の軸に固定され、
図示しないクランプと共にトレイ１８により搬送されたディスク１の中央部を挟み込み固
定する。そしてスピンドルモータ４によってディスク１が回転する。
【００１４】
ピックアップ５は、対物レンズ６、アクチュエータ７、レーザダイオード８、フォトデ
ィテクタ９、図示しない各種レンズ等を備える。レーザダイオード８は、レーザドライバ
１２によって駆動され、CD用として例えば７８０ｎｍの波長のレーザと、DVD用として例
えば６５０ｎｍの波長のレーザとを出力することができる。レーザダイオードから出力さ
れたレーザは対物レンズ６でディスク１の記録面に合焦され、ディスク１からの反射光を
フォトディテクタ９が電気信号に変換する。アクチュエータ７は対物レンズ６をディスク
１の半径方向および垂直方向に駆動する。また、スレッドモータ１９はピックアップ５を
ディスク１の半径方向に駆動する。
【００１５】
ヘッドアンプ１３は、フォトディテクタ９で変換された電気信号を増幅し、フォーカス
エラー信号およびトラッキングエラー信号を生成し、サーボ回路１４に送出する。また、
フォトディテクタ９は複数に分割された受光素子で構成され、ヘッドアンプ１３は受光素
子の各受光部の出力信号を増幅し、その総和を取り反射光量を示す信号を生成する。ヘッ
ドアンプ１３で生成された反射光量を示す信号は再生信号処理回路１５に送出され、再生
信号処理回路１５で２値化され、CDおよびDVDに対応した方法で復調および誤り訂正され
、CDの場合は音声信号として出力され、DVDの場合は、映像音声復号化回路２１で復号さ
れ、映像および音声信号として出力される。
【００１６】
サーボ回路１４はヘッドアンプ１３から送出されたフォーカスエラー信号およびトラッ
キングエラー信号に基づきフォーカスドライブ信号およびトラッキングドライブ信号を生
成し、アクチュエータドライバ１１に送出する。アクチュエータドライバ１１はフォーカ
スドライブ信号およびトラッキングドライブ信号に基づきアクチュエータ７を駆動する。
また、サーボ回路１４は、トラッキングエラー信号に基づき駆動信号をスレッドドライバ
２０に送出し、スレッドドライバ２０はスレッドモータ１９を駆動する。
【００１７】
また、スピンドルモータ４はモータの回転に伴ってパルスを発生させる回路を内蔵して
おり、このパルスをサーボ回路１４に送出し、サーボ回路１４はこのパルスを用いてスピ
ンドルモータ４を一定の回転数で駆動するための駆動信号を生成する。サーボ回路１４で
生成された駆動信号はスピンドルモータドライバ１０を介してスピンドルモータ４を一定
の回転数で回転させる。
【００１８】
また、コントローラ１６は、各回路ブロックの動作制御を行いシステム全体が所定の動
作を行えるように統括している。操作部１７はユーザが操作をするためのものであり、ボ
タン等からなる。
【００１９】
次に、上記構成の光ディスク再生装置について、本発明の特徴となる動作を図３のフロ
ーチャートに沿って説明する。また、図２はディスク搬送の様子を示したものである。た
だし、トレイ１８は省略している。
【００２０】
ステップＳ１で、トレイ１８が装置から外部に飛び出した状態でディスク１が上に置か
れ、ユーザが操作部１７の取り出しボタンを押したことをコントローラ１６が検出するか
、またはユーザがトレイ１８を装置に押し込む方向に力を加えトレイ駆動部２のモータに
逆起電力が発生したことをコントローラ１６が検出すると、コントローラ１６はトレイ駆
動部２のモータに駆動信号を送出し、トレイ１８がディスク１の半径方向に装置内部へ駆
動され、ディスク１が装置内部へ搬送を開始される。
【００２１】
このときステップＳ２で、コントローラ１６はレーザドライバ１２に駆動信号を送出し
、レーザダイオード８はDVD用の波長（例えば６５０ｎｍ）のレーザを出力し、対物レン
ズ６からレーザが外部に出力される（図２（ａ））。以下、ピックアップ５の位置は固定
され、対物レンズ６は中心が光源光軸と一致した位置で固定される。
【００２２】
そしてステップＳ３において、図２（ｂ）のように、ディスク１の外周部がレーザの出
力位置に到達し、ディスク１からの反射光により、ヘッドアンプ１３から送出される反射
光量を示す信号が０から立ち上がったことをコントローラ１６が検出するとステップＳ４
へ進む。
【００２３】
ステップＳ４で、コントローラ１６はサーボ回路１４にフォーカスサーボをオンとする
ように指令信号を送出し、サーボ回路１４はアクチュエータドライバ１１を介してアクチ
ュエータ７を駆動し、対物レンズ６がディスク１の垂直方向に駆動され、対物レンズ６の
焦点位置がディスク１の記録面に一致するように制御される。このとき、ディスク１上の
レーザスポット径はDVD用の大きさ（例えば、０．８９μｍ）である。
【００２４】
そして図２（ｃ）のように、ディスク１はレーザ出力位置に対してディスク１の半径方
向に略等速に搬送され、図４（ａ）のように、記録ピット（CD-DA、DVD-ROM）または記録
マーク（CD-R、CD-RW、DVD-R、DVD+R、DVD-RW、DVD+RW）Ｐで最小となり、記録ピットま
たは記録マークＰ間で最大となるような周期的な反射光量を示す信号がヘッドアンプ１３
で検出される。そこで、ステップＳ５で、コントローラ１６はヘッドアンプ１３から送出
される反射光量を示す信号の周期、例えば最小レベルとなるタイミングの間隔Ｔ１、また
は最大レベルとなるタイミングの間隔Ｔ２を測定し、これらがCDに対応する所定値あるい
はDVDに対応する所定値のいずれと略一致するかを判定する。トラックピッチはCDで１．
６μｍ、DVDで０．７４μｍと異なるため、上記間隔Ｔ１およびＴ２もCDとDVDとで同じデ
ィスク搬送速度において異なる。従って、上記間隔Ｔ１およびＴ２のように反射光量を示
す信号の周期を測定すれば、そのディスクがCDあるいはDVDかを判別できる。
【００２５】
そしてステップＳ６で、ディスク１の中央部がターンテーブル３の位置に到達すると、
図２（ｄ）のように、ディスク１中央部はターンテーブル３とクランプ２２に挟み込まれ
、固定される。
【００２６】
そしてステップＳ７で、スピンドルモータ４がディスク１を回転させ、コントローラ１
６はステップＳ５のディスク判別結果に基づき各種設定を行い、ディスク１の再生を開始
する。
（第２実施形態）
次に、本発明に係る光ディスク再生装置の第２実施形態について説明する。本発明に係
る光ディスク再生装置の第２実施形態の概略構成は上記第１実施形態の図１と同様である
ので説明を省略する。
【００２７】
本発明に係る光ディスク再生装置の第２実施形態の特徴となる動作については、上記第
１実施形態の図３のフローチャートにおけるステップＳ５以外は同様であり、ステップＳ
５について説明する。
【００２８】
図２（ｃ）のように、ディスク１はレーザ出力位置に対してディスク１の半径方向に略
等速に搬送され、図４（ｂ）のように、記録ピット（CD-DA、DVD-ROM）または記録マーク
（CD-R、CD-RW、DVD-R、DVD+R、DVD-RW、DVD+RW）Ｐにおいて、および記録ピットまたは
記録マークＰ間において０となるような周期的なトラッキングエラー信号がヘッドアンプ
１３で検出される。そこで、ステップＳ５で、コントローラ１６はヘッドアンプ１３から
送出されるトラッキングエラー信号の周期、例えば正から負の方向へ０と交差するタイミ
ングの間隔Ｔ３、または負から正の方向へ０と交差するタイミングの間隔Ｔ４を測定し、
これらがCDに対応する所定値あるいはDVDに対応する所定値のいずれと略一致するかを判
定する。トラックピッチはCDで１．６μｍ、DVDで０．７４μｍと異なるため、上記間隔
Ｔ３およびＴ４もCDとDVDとで同じディスク搬送速度において異なる。従って、上記間隔
Ｔ３およびＴ４のようにトラッキングエラー信号の周期を測定すれば、そのディスクがCD
あるいはDVDかを判別できる。
（第３実施形態）
次に、本発明に係る光ディスク再生装置の第３実施形態について説明する。本発明に係
る光ディスク再生装置の第３実施形態の概略構成は上記第１実施形態の図１と同様である
ので説明を省略する。
【００２９】
本発明に係る光ディスク再生装置の第３実施形態の特徴となる動作については、上記第
１実施形態の図３のフローチャートにおけるステップＳ５以外は同様であり、ステップＳ
５について説明する。
【００３０】
ステップＳ５では、図２（ｃ）のように、ディスク１はレーザ出力位置に対してディス
ク１の半径方向に搬送され、その間にヘッドアンプ１３から送出される反射光量を示す信
号の所定時間分の平均値をコントローラ１６が算出し、その平均値が所定のしきい値以上
であればDVD、そうでなければCDと判定する。
【００３１】
CD-R、DVD-R、DVD+Rのような追記型ディスクの場合、記録膜に用いられている色素材料
のレーザ波長に対する光吸収特性がCDとDVDとで異なり、DVD用のレーザ波長において、DV
DはCDに比べて非常に光吸収率が少なく、つまり反射率が非常に高い。従って、上記のよ
うにディスクにDVD用のレーザを照射し、反射光量を示す信号の所定時間分の平均値をし
きい値と比較することによりそのディスクがCDあるいはDVDであるかを判別できる。
【００３２】
また、上記では反射光量を示す信号の所定時間分の平均値を用いたが、コントローラ１
６は、ディスク１がレーザ出力位置に対してディスク１の半径方向に搬送される間にヘッ
ドアンプ１３から送出される反射光量を示す信号の任意の瞬間値をしきい値と比較して、
所定のしきい値以上であればDVD、そうでなければCDと判定してもよい。
【００３３】
なお以上の実施形態では、トレイが装置外部へ飛び出した状態でディスクが置かれ、デ
ィスクを装置内部へ搬送するものを例として説明したが、これに限らず例えば、ユーザが
ディスクを装置のディスク挿入口に挿入すると自動的にディスクが装置内部へ吸い込まれ
るようなものにも本発明は適用できる。
【図面の簡単な説明】
【００３４】
【図１】は、本発明の光ディスク再生装置の概略構成を示すブロック図である。
【図２】は、本発明の光ディスク再生装置におけるディスク搬送の様子を示した図である。
【図３】は、本発明の光ディスク再生装置の動作手順を示すフローチャートである。
【図４】は、ディスク搬送時の反射光に基づく信号の波形図である。
【符号の説明】
【００３５】
１    ディスク
２    トレイ駆動部
３    ターンテーブル
４    スピンドルモータ
５    ピックアップ
６    対物レンズ
７    アクチュエータ
８    レーザダイオード
９    フォトディテクタ
１０    スピンドルモータドライバ
１１    アクチュエータドライバ
１２    レーザドライバ
１３    ヘッドアンプ
１４    サーボ回路
１５    再生信号処理回路
１６    コントローラ
１７    操作部
１８    トレイ
１９    スレッドモータ
２０    スレッドドライバ
２１    映像音声復号化回路
２２    クランプ
【図１】
2006318600.tif 000003
【図２】
2006318600.tif 000004
【図３】
2006318600.tif 000005
【図４】
2006318600.tif 000006